(57)【要約】【課題】漏洩等により車両内空間に溜まってしまった空気より軽い燃料ガスの拡散を促進させ、燃料ガスの滞留を防止する。【解決手段】燃料電池車１０の制御ユニット６０は、上方に向かって凸であり、水素が滞留しやすい車両内空間となっている動力室９２に設置された水素濃度検知器７２ｂで検知された水素濃度ＨＳ２が所定の閾値濃度Ｔｈ２以上であるか否かを判断する。その結果、閾値濃度Ｔｈ２以上であれば、フード開放エアバック８２ｄを膨張させてフード９３を持ち上げることにより、動力室９２の上部に大気への拡散流路を開き、滞留する水素を大気拡散させる。【選択図】図５
2008260483.tif 000002
【特許請求の範囲】
【請求項１】
車両であって、
前記車両の車体の一部により構成され、少なくとも上方へ向かって凸であり、所定容積を有する車両内空間における空気より軽い燃料ガスの滞留を、該燃料ガスの性状に基づいて検知する燃料ガス検知手段と、
前記燃料ガス検知手段が前記燃料ガスの滞留を検知した場合に、前記車両内空間の上部に、前記燃料ガスが大気へ流通可能な流路を開く流路確保手段と
を備えた車両。
【請求項２】
請求項１記載の車両であって、
前記車両内空間は、少なくとも前記車両の動力源またはバッテリを設置するための空間である
車両。
【請求項３】
請求項１または請求項２記載の車両であって、
前記流路確保手段は、エアバックを膨張させ、該膨張したエアバックが前記車両内空間を構成する前記車体の少なくとも一部分を移動して、前記流路を開くエアバック装置である
車両。
【請求項４】
請求項１ないし請求項３のいずれか記載の車両であって、
前記燃料ガスは水素であり、
前記燃料ガス検知手段は、水素濃度センサである
車両。
【請求項５】
請求項１ないし請求項３のいずれか記載の車両であって、
前記燃料ガスは水素であり、
前記燃料ガス検知手段は、予め定められた水素の存在領域の各部における水素の流量または圧力に基づいて検知する
車両。
【請求項６】
前記車両の動力源として燃料電池を搭載した請求項１ないし請求項５のいずれか記載の車両。
【請求項７】
請求項１ないし請求項６のいずれか記載の車両であって、
更に、前記車両の走行速度を検出する手段を備え、
前記流路確保手段は、該検出された走行速度が所定値より小さい場合のみ、前記流路を開く
車両。
【発明の詳細な説明】
【技術分野】
【０００１】
本発明は、所定形状の車体を有する車両に関し、特に、空気より軽い燃料ガスの漏洩時等における燃料ガスの滞留防止技術に関する。
【背景技術】
【０００２】
近年、燃料電池を動力源として搭載した燃料電池車が注目されている。この燃料電池車は、水素などの燃料ガスを空気などの酸化ガスと反応させ、電気化学反応により電気エネルギーを取り出し、それを車両の動力源とするものであり、クリーンでエネルギー効率の高い走行を行うことができる。一方で、燃料ガスとして用いられる水素は、燃えやすい、爆発限界が広い、軽く拡散しやすい（漏れやすい）などの性質を有している。そのため、燃料電池車においては、水素漏れを防止する種々の対策が講じられる。こうした水素漏れ防止技術として、例えば、下記特許文献１に記載の技術が知られている。
【０００３】
【特許文献１】特開２００４−１２７７４８号公報
【０００４】
この特許文献１では、水素漏れを検出したときに、水素タンクのシャット弁を閉じるとともに、燃料電池での発電をしばらく継続させて、シャット弁の下流側に残留する水素を問題のないレベルまで消費させる技術を開示している。
【０００５】
しかし、一旦漏れてしまった水素は、軽く、拡散しやすいという性質を有してはいるものの、上方に向かって凸である空間、例えば、燃料電池を設置する動力室（内燃機関を動力源とする車両のエンジンルームに相当）に移動した場合には拡散に時間がかかることが問題となっていた。このような問題は、燃料電池を搭載した車両に限らず、空気より軽い燃料ガスを利用した動力源を有する車両に共通した問題であった。
【発明の開示】
【発明が解決しようとする課題】
【０００６】
上述した問題を考慮し、本発明が解決しようとする課題は、漏洩等により車両内空間に溜まってしまった、空気より軽い燃料ガスの拡散を促進させ、燃料ガスの滞留を防止することである。
【課題を解決するための手段】
【０００７】
上記課題を解決する本発明の車両は、
車両であって、
前記車両の車体の一部により構成され、少なくとも上方へ向かって凸であり、所定容積を有する車両内空間における空気より軽い燃料ガスの滞留を、該燃料ガスの性状に基づいて検知する燃料ガス検知手段と、
前記燃料ガス検知手段が前記燃料ガスの滞留を検知した場合に、前記車両内空間の上部に、前記燃料ガスが大気へ流通可能な流路を開く流路確保手段と
を備えたことを要旨とする。
【０００８】
かかる構成の車両は、上方へ向かって凸である車両内空間おける空気より軽い燃料ガスの滞留を検知すると、当該車両内空間の上部に燃料ガスが大気へ流通可能な流路を開ける。したがって、燃料ガスの空気より軽い性質を利用して、滞留している燃料ガスを車両内空間の上部に開いた流路から拡散させ、車両内空間での滞留を防止することができる。
【０００９】
また、かかる構成の車両において、車両内空間は、少なくとも車両の動力源またはバッテリを設置するための空間としてもよい。このような構成とすれば、動力源又はバッテリを設置するための空間が、上方へ向かって凸であり、空気より軽い燃料ガスが滞留しやすい空間となっても、燃料ガスの滞留を防止することができる。
【００１０】
また、かかる構成の車両において、流路確保手段は、エアバックを膨張させ、膨張したエアバックが車両内空間を構成する車体の少なくとも一部分を移動して、流路を開くエアバック装置としてもよい。このような構成とすれば、簡単な機構で瞬時に流路を開いて車両内空間の燃料ガスを大気に拡散させ、滞留を防止することができる。
【００１１】
また、かかる構成の車両において、燃料ガスは水素であり、燃料ガス検知手段は、水素濃度センサとしてもよい。このような構成とすれば、燃えやすく、爆発限界の広い水素が車両内空間に滞留した場合であっても、水素濃度センサで確実に水素の滞留を検知して、滞留する水素を大気に拡散させることができる。
【００１２】
また、かかる構成の車両において、燃料ガスは水素であり、燃料ガス検知手段は、予め定められた水素の存在領域の各部における水素の流量または圧力に基づいて検知するものとしてもよい。このような構成とすれば、水素が漏洩し、車両内空間に滞留している可能性が高い場合であっても、水素の流量または圧力に基づいて水素の漏洩を確実に検知し、漏洩する水素を大気に拡散させることができる。
【００１３】
また、かかる構成の車両において、車両の動力源として燃料電池を搭載してもよい。このような構成とすれば、燃料ガスを常時貯留または使用するために、車両内空間に燃料ガスが滞留する蓋然性の大きい燃料電池搭載車両においても、滞留する燃料ガスを安全に大気に拡散させ、滞留を防止することができる。
【００１４】
また、かかる構成の車両は、更に、車両の走行速度を検出する手段を備え、流路確保手段は、検出された走行速度が所定値より小さい場合のみ、流路を開くものとしてもよい。このような構成とすれば、車両の走行速度が遅く、車両の走行により車体内に流入する車速風によって大気拡散が期待できない場合のみ流路を開くので、燃料ガスの滞留に対して、車両の走行の状況に応じて効率的に対応することが可能である。
【発明を実施するための最良の形態】
【００１５】
本発明の実施例について説明する。
Ａ．燃料電池車の概略構造：
図１は、本発明の実施例としての燃料電池車１０の概略構成を示す説明図である。燃料電池車１０は、燃料電池システム２０、電力変換機構３０、車両補機４０、駆動モータ５２、減速ギア５４、駆動輪５６、制御ユニット６０、水素濃度検知器７２、滞留防止装置８２を備えている。
【００１６】
燃料電池車１０は、減速ギア５４を介して駆動輪５６に連結された駆動モータ５２を駆動力源として走行する。駆動モータ５２の電源は、燃料電池システム２０により発電された電力である。
【００１７】
電力変換機構３０は、インバータ、バッテリなどを備えており、燃料電池システム２０から出力される直流を三相交流に変換して駆動モータ５２に供給したり、余剰電力を蓄電したりする。車両補機４０は、燃料電池車１０の運転時などに使用される種々の電力機器であり、照明機器、空調機器、油圧ポンプなどが含まれる。
【００１８】
燃料電池システム２０は、電気化学反応により、燃料電池車１０の動力源としての電気エネルギーを発生させるシステムである。この燃料電池システム２０は、燃料電池スタック２２、水素供給・排出機構２４、空気供給・排出機構２８を備えている。
【００１９】
燃料電池スタック２２は、アノード、カソード、電解質、セパレータ等からなる積層体アセンブリを複数積層させた燃料電池である。本実施例においては、固形高分子形燃料電池を用いているが、種々の燃料電池を用いることが可能である。
【００２０】
水素供給・排出機構２４は、燃料ガスとしての水素を貯留する水素タンク２５のほか、図示しないシャットバルブ、レギュレータ、循環ポンプ、配管などによって構成され、水素タンク２５に貯蔵された高圧水素を、圧力及び供給量を調整して、燃料電池スタック２２のアノードに供給すると共に、アノードからの排ガス（アノードオフガス）を系外に排出させる。なお、本実施例においては、水素の貯蔵方法として水素タンク２５を用いたが、これに限るものではない。例えば、水素吸蔵金属を用いてもよい。また、貯留時の状態は気体に限らず、液化水素を用いてもよい。もとより、例えば、アルコール、炭化水素、アルデヒドなどを原料とする改質反応によって水素を生成する水素生成装置を用いるものとしてもよい。
【００２１】
空気供給・排出機構２８は、エアクリーナ、エアコンプレッサ、希釈器、配管などによって構成され、酸化ガスとしての空気を燃料電池スタック２２のカソードに供給すると共に、カソードからの排ガス（カソードオフガス）を系外に排出させる。
【００２２】
水素濃度検知器７２は、燃料電池車１０の事故時などに、水素供給・排出機構２４や燃料電池スタック２２からの水素の漏洩や、衝突車両から燃料電池車１０の車体内部に水素が流入することなどを検知するために設置される。本実施例においては、半導体式を用いたが、熱線式、吸蔵合金式、接触燃焼式など種々の方式を用いることができる。また、本実施例においては、この水素濃度検知器７２を２箇所に設置しており、その設置箇所については、図２を用いて後述する。
【００２３】
滞留防止装置８２は、水素濃度検知器７２が水素の漏洩や外部からの流入を検知した場合に、燃料電池車１０の車体内部の水素が滞留しやすい車両内空間に漏洩または流入した水素が流入しないように、当該車両内空間への水素の流入経路を遮断すると共に、滞留した水素を大気中へ拡散させるための装置である。本実施例における滞留防止装置８２は、４つのエアバック装置により構成され、その設置箇所については、図２を用いて後述する。
【００２４】
制御ユニット６０は、内部にＣＰＵ、ＲＡＭ、ＲＯＭを備えるマイクロコンピュータとして構成されており、ＲＯＭに記憶されたプログラムをＲＡＭに展開して実行することで、滞留防止制御部６２として機能するほか、各種センサからの入力信号を受けて、各種負荷への指示信号を送り、燃料電池車１０のシステム全体を制御する。
【００２５】
Ｂ．滞留防止装置８２及び水素濃度検知器７２の配置：
燃料電池車１０における滞留防止装置８２及び水素濃度検知器７２の配置について図２に示す。まず、燃料電池車１０の車体により構成される主な空間について説明する。燃料電池車１０は、図示するように、乗員室９８を有している。この乗員室９８は、窓やサンルーフを開放しない状態では、上方へ向かって凸である空間であり、エアコン用の外気吸込口９６を通じてのみ、外気と通じている。
【００２６】
また、燃料電池車１０は、その車体の前方に動力室９２を有している。この動力室９２は、燃料電池スタック２２が収納される空間であり、従来のガソリンエンジンを動力源とする車両のエンジンルームに相当するものである。動力室９２は、従来のエンジンルームと同様に、燃料電池車１０の整備時などにフード９３をリフトアップすることでその上部を開口できるが、通常時には、概ね閉じた状態であり、上方へ向かって凸である車両内空間となっている。なお、動力室９２の下部は開放され、大気と接触する状態である。
【００２７】
また、燃料電池車１０には、乗員室９８の底部によって、上方へ向かって凸である車両内空間である底部空間９４が形成されている。この底部空間９４は、動力室９２と連通する空間であり、下部は開放され、大気と接触する状態である。この底部空間９４の車両後方側には、水素タンク２５が設置されている。
【００２８】
なお、本実施例においては、燃料電池スタック２２を設置する動力室９２を車体の前方に配置し、水素タンク２５を底部空間９４の車体後方部に設置したが、これに限られるものではない。車のタイプや設計思想に応じて、それぞれを前方、中央部、後方などに配置する種々の組合せが考えられる。
【００２９】
次に、滞留防止装置８２を構成する４つのエアバック装置の配置について説明する。上述の動力室９２の下部には、動力室下エアバック８２ａが配置されている。一方、動力室９２の上部には、フード９３の近傍にフード開放エアバック８２ｄが、外気吸込口９６の入口の近傍に外気吸込口エアバック８２ｃが配置されている。また、動力室９２と底部空間９４とが接する箇所には、動力室・タンク間エアバック８２ｂが配置されている。
【００３０】
次に、水素濃度検知器７２の配置について説明する。２箇所に設置される水素濃度検知器７２の内、一つの水素濃度検知器７２ａは、底部空間９４の上部であって、水素タンク２５の近傍に配置され、他の一つの水素濃度検知器７２ｂは、動力室９２の上部に配置されている。このように水素濃度検知器７２ａ及び７２ｂを各空間の上部に設置するのは、本実施例において燃料電池スタック２２の燃料ガスとして用いる水素が空気と比べて非常に軽いために、例えば、水素の漏洩が起こった場合には、漏洩水素は、動力室９２や底部空間９４の上部に滞留するためである。
【００３１】
Ｃ．水素滞留防止処理：
燃料電池車１０における水素滞留防止処理の流れを示すフローチャートを図３に示す。燃料電池車１０では、衝突事故などにより、燃料電池システム２０の燃料ガスである水素が水素供給・排出機構２４や燃料電池スタック２２から漏洩したり、衝突した他車が搭載する燃料電池システムなど、燃料電池車１０の外部から水素が流入したりすることが想定される。図３の処理は、そのような場合に、燃料電池車１０の車体内の水素が滞留しやすい車両内空間に漏洩または流入した水素が流入しないように、当該車両内空間への水素の流入経路を遮断すると共に、車両内空間に滞留する水素を大気中へ拡散させるための処理である。
【００３２】
この処理では、まず、制御ユニット６０が、底部空間９４に設置された水素濃度検知器７２ａで検知された水素濃度ＨＳ１が所定の閾値濃度Ｔｈ１以上であるか否かを判断する（ステップＳ１００）。その結果、閾値濃度Ｔｈ１以上であれば（ステップＳ１００：ＹＥＳ）、水素は非常に軽く、高い位置から低い位置へは移動しにくいことを考え合わせると、水素タンク２５の周辺で水素の漏洩があると予測される。そこで、制御ユニット６０は、動力室９２と底部空間９４とが接する箇所に設置された動力室・タンク間エアバック８２ｂに点火信号を送る。動力室・タンク間エアバック８２ｂでは、この点火信号を受けて、インフレータがガスを発生させ、エアバックを膨張させる（ステップＳ１１０）。
【００３３】
このステップＳ１１０における動力室・タンク間エアバック８２ｂの機能については、図４を用いて詳述する。動力室・タンク間エアバック８２ｂは、点火信号を受けると、図示のとおり、動力室９２と底部空間９４を分断するように膨張する。このように膨張させるのは、上記ステップＳ１００で検知された水素が、水素が滞留しやすい車両内空間である動力室９２に流入する流入路を遮断するためである。
【００３４】
そして、動力室・タンク間エアバック８２ｂを膨張させると、あるいは上記ステップＳ１００において、水素濃度検知器７２ａで検知された水素濃度ＨＳ１が所定の閾値濃度Ｔｈ１未満であれば（ステップＳ１００：ＮＯ）、制御ユニット６０は、動力室９２に設置された水素濃度検知器７２ｂで検知された水素濃度ＨＳ２が所定の閾値濃度Ｔｈ２以上であるか否かを判断する（ステップＳ１２０）。
【００３５】
その結果、閾値濃度Ｔｈ２以上であれば（ステップＳ１２０：ＹＥＳ）、燃料電池スタック２２周辺での水素漏洩、燃料電池車１０の外部からの水素の流入などがあったと推測される。そこで、制御ユニット６０は、動力室下エアバック８２ａ、フード開放エアバック８２ｄ及び外気吸込口エアバック８２ｃに点火信号を送る。この点火信号を受けて、上述の３つのエアバックでは、インフレータがガスを発生させ、各エアバックを膨張させる（ステップＳ１３０）。
【００３６】
このステップＳ１３０における各エアバックの機能については、図５を用いて詳述する。動力室下エアバック８２ａは、点火信号を受けると、図示するように、動力室９２の前面下部に沿って膨張する。このように膨張させることで、上記ステップＳ１００で検知された水素が、例えば、燃料電池車１０と他の燃料電池車との衝突事故により、燃料電池車１０の前方から動力室９２に流入したものである場合に、水素が滞留しやすい動力室９２へ流入する流入路を遮断して、これ以上水素が流入することを抑制するのである。
【００３７】
また、フード開放エアバック８２ｄは、点火信号を受けると、図示するように、近傍のフード９３を持ち上げるように膨張する。このように膨張させることで、フード９３を持ち上げ、上方に向かって凸であり、水素が滞留する恐れのある車両内である動力室９２において大気に通じる流路を開き、滞留する水素を大気に拡散させるのである。
【００３８】
また、外気吸込口エアバック８２ｃは、点火信号を受けると、図示するように、外気吸込口９６の入口を閉じるように膨張する。これは、フード開放エアバック８２ｄの膨張により動力室９２の上部に生じた大気への流通流路から大気に拡散される水素が、外気吸込口９６を通じて、上方に向かって凸であり、水素が滞留する恐れのある車両内空間である乗員室９８に流入する恐れがあるので、その流入路を遮断するのである。
【００３９】
上記ステップＳ１３０において、各エアバックを膨張させると、あるいは上記ステップＳ１２０において、水素濃度検知器７２ｂで検知された水素濃度ＨＳ２が所定の閾値濃度Ｔｈ２未満であれば（ステップＳ１２０：ＮＯ）、制御ユニット６０は、水素滞留防止処理を完了する。なお、上述の一連の処理は、滞留防止制御部６２の処理として制御される。
【００４０】
かかる構成の燃料電池車１０は、水素濃度検知器７２ａで検知された水素濃度ＨＳ１が所定の閾値濃度Ｔｈ１以上であると判断すると、動力室・タンク間エアバック８２ｂを膨張させて、水素の動力室９２への流入路を遮断する。同様に、水素濃度検知器７２ｂで検知された水素濃度ＨＳ２が所定の閾値濃度Ｔｈ２以上であると判断すると、動力室下エアバック８２ａ及び外気吸込口エアバック８２ｃを膨張させて、水素の動力室９２または乗員室９８への流入路を遮断する。このように、動力室９２や乗員室９８といった、水素が滞留する恐れのある空間に水素が流入することを防ぐので、水素の滞留を防止することができる。
【００４１】
また、かかる構成の燃料電池車１０は、水素濃度検知器７２ｂで検知された水素濃度ＨＳ２が所定の閾値濃度Ｔｈ２以上であると判断すると、フード開放エアバック８２ｄを膨張させて、フード９３を持ち上げて、動力室９２の上部において、大気に通じる流路を開く。したがって、水素が空気より軽い性質を利用して、速やかに当該流路から滞留する水素を大気に拡散させることができる。また、高濃度の水素が燃料電池車１０の車両内空間に残存し続けることがなく、安全である。
【００４２】
なお、本実施例においては、動力室９２に滞留した水素が大気へ流通可能な流路を開く流路確保手段として、フード開放エアバック８２ｄを用いてフード９３を持ち上げる構成としたが、これに限られるものではない。エアバック装置のほか、エアシリンダやソレノイドモータなど種々のアクチュエータを利用して、動力室９２を構成する車体の少なくとも一部に流路を開く構成であればよい。なお、ここで用いられるアクチュエータは、防爆に配慮して、リンク機構を用いるなど、水素が滞留する恐れのある空間内またはその近傍で電気を使用しない工夫がされたものが望ましい。
【００４３】
また、本実施例においては、水素が滞留しやすい車両内空間である動力室９２や乗員室９８に水素が流入しないように、動力室・タンク間エアバック８２ｂ、外気吸込口エアバック８２ｃ及び動力室下エアバック８２ａを膨張させることで、水素の流入路を遮断する構成としたが、これに限られるものではない。例えば、遮断すべき流路にゴムベラなどのエアダムを予め取り付けておく構成、収納されていたエアダムがアクチュエータにより流路を遮断する位置に移動する構成、エアカーテンにより流路を遮断する構成、エアコンダンパを閉じて外気吸込口を遮断する構成など、種々の構成が考えられる。
【００４４】
また、本実施例においては、水素が滞留する恐れのある空間として動力室９２及び乗員室９８を想定し、動力室９２または乗員室９８へ水素が流入する流入路として動力室９２の下部、外気吸込口９６の入口、底部空間９４と外気吸込口９６が接する空間を遮断すると共に、動力室９２の上部に水素を大気拡散させる流路を開く例を示したが、水素が滞留する恐れのある空間、遮断する流入流路及び流路を開く箇所は、これに限られるものではない。例えば、水素が滞留する恐れのある空間として底部空間９４やトランクルームなどを想定してもよい。これらの構成は、燃料電池車１０の車体形状に応じて、適宜設定すればよい。また、水素濃度検知器の設置数や設置箇所についても、燃料電池車１０の車体形状や上述の遮断する流入路、流路を開く箇所などに対応させて適宜設定すればよい。
【００４５】
また、本実施例においては、燃料電池車１０における水素の漏洩、または他車からの水素の流入を検知する燃料ガス検知手段として、水素濃度検知器を用いたが、これに限られるものではない。水素の性状に基づいて検知する手段であればよく、例えば、水素供給・排出機構２４に水素圧力計や水素流量計を設置し、その検出値から水素の漏洩を検知する構成であってもよい。勿論、上に例示した方法を組み合わせて検知精度を高めるものであってもよい。
【００４６】
なお、本実施例においては、燃料ガスの検知結果に応じて、水素が滞留する恐れのある車両内空間へ移動する流路を遮断すると共に、車両内空間に滞留する水素を大気へ拡散させるための流路を開く例を示したが、必ずしもこれらを組み合わせる必要はなく、流路を開くだけの構成であってもよいことは言うまでもない。
【００４７】
Ｄ．変形例：
本発明の変形例について図６を用いて説明する。図６は、変形例としての燃料電池車１０における水素滞留防止処理の流れを示すフローチャートである。図３に示した実施例との相違点は、図中のステップＳ２１０及びステップＳ２４０のみであるので、この点についてのみ説明する。本変形例では、制御ユニット６０は、ステップＳ２００において（実施例のステップＳ１００に相当）、底部空間９４に設置された水素濃度検知器７２ａで検知された水素濃度ＨＳ１が所定の閾値濃度Ｔｈ１以上であると判断した場合（ステップＳ２００：ＹＥＳ）には、燃料電池車１０が備える車速センサに検出される車速Ｖが所定の閾値Ｔｈ３（例えば１０ｋｍ／ｈ）未満であるか否かを判断する（ステップＳ２１０）。その結果、車速ＶがＴｈ３未満である場合（ステップＳ２１０：ＹＥＳ）のみ、制御ユニット６０は、動力室・タンク間エアバック８２ｂを膨張させる（ステップＳ２２０）。
【００４８】
同様に、制御ユニット６０は、ステップＳ２３０において（実施例のステップＳ１２０に相当）、動力室９２に設置された水素濃度検知器７２ｂで検知された水素濃度ＨＳ２が所定の閾値濃度Ｔｈ２以上であると判断した場合（ステップＳ２３０：ＹＥＳ）、または上記ステップＳ２００において検知した水素濃度ＨＳ１が閾値濃度Ｔｈ１未満であった場合、または、上記ステップＳ２１０において車速Ｖが閾値Ｔｈ３以上であった場合には、燃料電池車１０の車速Ｖが所定の閾値Ｔｈ３未満であるか否かを判断する（ステップＳ２４０）。そして、車速ＶがＴｈ３未満である場合（ステップＳ２４０：ＹＥＳ）のみ、動力室下エアバック８２ａ、フード開放エアバック８２ｄ及び外気吸込口エアバック８２ｃを膨張させる（ステップＳ２５０）
【００４９】
このように燃料電池車１０の車速Ｖに応じて各エアバックの膨張の可否を変化させるのは、所定値以上の車速で走行している場合には、走行により生じる車速風が燃料電池車１０の車体内部に流入することによって、動力室９２や底部空間９４に漏洩または流入した水素の拡散が期待できるからである。かかる構成の燃料電池車１０は、車速風による水素の拡散が期待できない場合のみ水素の流入路を遮断したり、大気に拡散する流路を開いたりするので、燃料ガスの滞留防止について、燃料電池車１０の走行状態に応じて効率的に対応することが可能となる。
【００５０】
以上、本発明の実施の形態について説明したが、本発明はこうした例に限られるものではなく、本発明の要旨を脱しない範囲において、種々なる態様で実施できることは勿論である。例えば、本願においては、水素滞留防止処理を行う燃料電池車１０を実施例として示したが、これに限られるものではない。例えば、水素を燃料ガスとして用いる内燃機関を動力源とする車両に適用するものであってもよい。また、燃料ガスは、水素に限らず、天然ガスなど空気より軽い性質のものであればよい。もとより、本発明は、空気より軽い燃料ガスを扱う車両に限るものではなく、空気より軽い燃料ガスを扱う車両との衝突事故時などの対策として、従来のガソリン等の液体燃料を用いる内燃機関を動力源とする車両にも適用できる。
【図面の簡単な説明】
【００５１】
【図１】本発明の実施例としての燃料電池車１０の概略構成を示す説明図である。
【図２】燃料電池車１０における滞留防止装置８２及び水素濃度検知器７２の配置を示す説明図である。
【図３】燃料電池車１０における水素滞留防止処理の流れを示すフローチャートである。
【図４】滞留防止装置８２の機能を説明する説明図である。
【図５】滞留防止装置８２の機能を説明する説明図である。
【図６】変形例としての燃料電池車１０における水素滞留防止処理の流れを示すフローチャートである。
【符号の説明】
【００５２】
１０...燃料電池車
２０...燃料電池システム
２２...燃料電池スタック
２４...水素供給・排出機構
２５...水素タンク
２８...空気供給・排出機構
３０...電力変換機構
４０...車両補機
５２...駆動モータ
５４...減速ギア
５６...駆動輪
６０...制御ユニット
６２...滞留防止制御部
７２，７２ａ，７２ｂ...水素濃度検知器
８２...滞留防止装置
８２ａ...動力室下エアバック
８２ｂ...動力室下・タンク間エアバック
８２ｃ...外気吸込口エアバック
８２ｄ...フード開放エアバック
９２...動力室
９３...フード
９４...底部空間
９６...外気吸込口
９８...乗員室
【図１】
2008260483.tif 000003
【図２】
2008260483.tif 000004
【図３】
2008260483.tif 000005
【図４】
2008260483.tif 000006
【図５】
2008260483.tif 000007
【図６】
2008260483.tif 000008